(57)【要約】【課題】複数の１４セグメント表示器１１が横一列に並ぶ表示列１２を装備し、リストの１行分が表示列１２に表示される表示装置１０において、縦スクロールを改善する。【解決手段】縦方向へ上下にそれぞれ隣接する行として、”ＡＢＣＤＥＦＧＨ”及び”ＩＪＫＬＭＮＯＰ”を想定するとともに、下向きの縦スクロールを想定する。この場合、”ＡＢＣＤＥＦＧＨ”及び”ＩＪＫＬＭＮＯＰ”間の表示列１２における表示は、表示列１２の縦方向全体における”ＡＢＣＤＥＦＧＨ”の縦方向全体表示→表示列１２の上半部における”ＡＢＣＤＥＦＧＨ”の下半部表示→表示列１２の下半部における”ＩＪＫＬＭＮＯＰ”の上半部表示→表示列１２の縦方向全体における”ＩＪＫＬＭＮＯＰ”の縦方向全体表示と切替えられる。【選択図】図４
2010181719.tif 000002
【特許請求の範囲】
【請求項１】
複数の１４セグメント表示器が横方向へ一列に並んだ表示列を備え、行内の各キャラクタを前記表示列の対応１４セグメント表示器に表示する表示装置であって、
縦スクロールの指示を検出する指示検出手段、及び
縦スクロールの指示に伴い、縦方向に並ぶ行のスクロール表示を前記表示列において開始するとともに、該スクロール表示には、前記表示列におけるスクロール行のキャラクタの縦方向全体表示と共に縦方向部分表示を含める表示制御手段、
を備えることを特徴とする表示装置。
【請求項２】
キャラクタの前記縦方向部分表示は、該キャラクタの縦方向全体表示より時間的に前及び／又は後に実施し、
キャラクタの前記縦方向部分表示における縦方向部分とは、該キャラクタの縦方向全体表示より時間的に前の縦方向部分表示では、各キャラクタについて縦スクロール方向のほぼ上流側半部であり、該キャラクタの縦方向全体表示より時間的に後の縦方向部分表示では、各キャラクタについて縦スクロール方向のほぼ下流側半部であることを特徴とする請求項１記載の表示装置。
【請求項３】
前記表示制御手段は、縦スクロール中は、縦スクロール方向へ前後に隣接する第１及び第２の行に対して、縦スクロール方向へ前記１４セグメント表示器の全体に第１の行のキャラクタの全体、縦スクロール方向へ前記１４セグメント表示器のほぼ下流側半部に前記第１の行のキャラクタのほぼ下流側半部、縦スクロール方向へ前記１４セグメント表示器のほぼ上流側半部に第２の行のキャラクタのほぼ上流側半部、及び縦スクロール方向へ前記１４セグメント表示器の全体に第２の行のキャラクタの全体を順次、表示することを特徴とする請求項２記載の表示装置。
【請求項４】
前記表示制御手段は、１４セグメント表示器におけるキャラクタの部分表示では、１４セグメント表示器の斜めセグメントを不使用とすることを特徴とする請求項１〜３のいずれかに記載の表示装置。
【請求項５】
前記表示制御手段は、１４セグメント表示器におけるキャラクタの全体表示において斜めセグメントに対応する画は、１４セグメント表示器における該キャラクタの部分表示では、該斜めセグメントと傾きが同一である別の斜めセグメント、該斜めセグメントと左右方向同一側にあって傾きが反対である別の斜めセグメント、左右方向へ該斜めセグメントと同一側にあって縦方向中央の横セグメント、又は左右方向へ該斜めセグメントと同一側にある端の縦セグメントと縦方向へ端の横セグメントに割り当てることを特徴とする請求項１〜３のいずれかに記載の表示装置。
【請求項６】
前記表示制御手段は、１４セグメント表示器におけるキャラクタの全体表示において縦方向中央の左右の横セグメントに対応する画は、１４セグメント表示器における該キャラクタの部分表示では、縦方向へ端の横セグメントに割り当てることを特徴とする請求項１〜５のいずれかに記載の表示装置。
【請求項７】
複数の１４セグメント表示器が横方向へ一列に並んだ表示列を備え、行内の各キャラクタを表示列の対応１４セグメント表示器に表示する表示装置に制御方法であって、
縦スクロールの指示を検出する指示検出ステップ、及び
縦スクロールの指示に伴い、縦方向に並ぶ行のスクロール表示を前記表示列において開始するとともに、該スクロール表示には、前記表示列におけるスクロール行のキャラクタの縦方向全体表示と共に縦方向部分表示を含める表示制御ステップ、
を備えることを特徴とする表示装置制御方法。
【請求項８】
請求項１〜６のいずれかに記載の表示装置の各手段としてコンピュータを機能させるプログラム。
【発明の詳細な説明】
【技術分野】
【０００１】
本発明は、複数の１４セグメント表示器が横方向へ一列に並ぶ表示装置、制御方法及びプログラムに関する。
【背景技術】
【０００２】
特許文献１は、５４×７ドットで横方向へ計９キャラクタを表示する液晶セルから成る液晶表示部を開示する（特許文献１の段落００１８及び図２）。該液晶表示部では、１つのキャラクタが５×７ドットの文字フォントで構成されるのに対し（特許文献１の段落００１９）、文字列を横スクロールする場合、各キャラクタを横方向へ３ドットずつシフトさせていくことにより（特許文献１の図４（ａ）→（ｂ）→（ｃ））、スクロール表示が滑らかになるようにしている。
【０００３】
所定の電気機器は、複数の１４セグメント表示器が横方向へ一列に並ぶ表示装置を装備している。例えば、オーディオ再生装置は楽曲名等のリストを扱うことがあり、この場合、１４セグメント表示器型表示装置は、リスト中の１行のみしか表示することができず、ユーザが、リストにどのような内容の楽曲が存在するのかを知るためには、縦スクロールを行って、リスト内の楽曲を順番に表示していくことになる。
【先行技術文献】
【特許文献】
【０００４】
【特許文献１】特開平６−３０８９０４号公報
【発明の概要】
【発明が解決しようとする課題】
【０００５】
従来の１４セグメント表示器型表示装置では、縦スクロール中は、各１４セグメント表示器に各行の対応キャラクタを全体表示しつつ、それが一定時間間隔で次の行のキャラクタの全体表示に切り替わるのみとなっている。したがって、ユーザにとって、縦スクロールの実感が乏しくなっている。
【０００６】
特許文献１は、ドット型液晶における横スクロールを開示したものであり、１４セグメント表示器型表示装置の縦スクロールへの適用については具体的な説明を欠落する。
【０００７】
本発明の目的は、１４セグメント表示器型表示装置における縦スクロールを改善することである。
【課題を解決するための手段】
【０００８】
本発明によれば、縦スクロールの際、各行のキャラクタについてその縦方向全体表示と共に縦方向部分表示を含ませる。
【０００９】
本発明の表示装置は、複数の１４セグメント表示器が横方向へ一列に並んだ表示列を備え、行内の各キャラクタを前記表示列の対応１４セグメント表示器に表示し、次のものを備える。
縦スクロールの指示を検出する指示検出手段、及び
縦スクロールの指示に伴い、縦方向に並ぶ行のスクロール表示を前記表示列において開始するとともに、該スクロール表示には、前記表示列におけるスクロール行のキャラクタの縦方向全体表示と共に縦方向部分表示を含める表示制御手段。
【００１０】
本発明の制御方法が適用される表示装置は、複数の１４セグメント表示器が横方向へ一列に並んだ表示列を備え、行内の各キャラクタを表示列の対応１４セグメント表示器に表示し、本発明の制御方法は次のステップを備える。
縦スクロールの指示を検出する指示検出ステップ、及び
縦スクロールの指示に伴い、縦方向に並ぶ行のスクロール表示を前記表示列において開始するとともに、該スクロール表示には、前記表示列におけるスクロール行のキャラクタの縦方向全体表示と共に縦方向部分表示を含める表示制御ステップ。
【００１１】
本発明のプログラムは本発明の表示装置の各手段としてコンピュータを機能させる。
【発明の効果】
【００１２】
本発明によれば、縦スクロールの際、各行のキャラクタについてその縦方向全体表示と共に縦方向部分表示を含ませるので、縦スクロール中のキャラクタの縦方向動きが滑らかになる。
【図面の簡単な説明】
【００１３】
【図１】表示装置の正面図である。
【図２】セグメント表示器の拡大図である。
【図３】表示装置におけるキャラクタ列の縦方向全体表示及び部分表示を示す図である。
【図４】縦方向へ隣接する２行に対して下向きスクロールの場合に表示装置における表示変化を段階的に示す図である。
【図５】縦方向へ隣接する２行に対して上向きスクロールの場合に表示装置における表示変化を段階的に示す図である。
【図６】キャラクタ”Ｖ”について上向きスクロールの場合の縦方向全体表示及び下半部表示の状態を示す図である。
【図７】キャラクタ”Ｖ”について下向きスクロールの場合の縦方向全体表示及び上半部表示の状態を示す図である。
【図８】キャラクタ”（”について上向きスクロールの場合の縦方向全体表示及び下半部表示の状態を示す図である。
【図９】キャラクタ”Ｍ”について下向きスクロールの場合の縦方向全体表示及び上半部表示の状態を示す図である。
【図１０】キャラクタ”Ｙ”について上向きスクロールの場合の縦方向全体表示及び上半部表示の状態を示す図である。
【図１１】キャラクタ”Ｋ”について下向きスクロールの場合の縦方向全体表示及び下半部表示の状態を示す図である。
【図１２】キャラクタ”Ｇ”について下向きスクロールの場合の縦方向全体表示及び上半部表示の状態を示す図である。
【図１３】アルファベットの各キャラクタを１４セグメント表示器１１に縦方向全体表示した場合の各表示態様を示した図である。
【図１４】表示装置のブロック図である。
【図１５】表示装置制御方法のフローチャートである。
【発明を実施するための形態】
【００１４】
図１において、表示装置１０は例えばオーディオ装置等に装備される。表示装置１０は、この例では８個の１４セグメント表示器１１が一定間隔で横一列に配置された表示列１２を装備する。
【００１５】
図２において、１４セグメント表示器１１は、上から下方向へかつ左から右方向へ順番に計１４個のセグメント２１〜３４を有している。セグメント２１，２７，２８，３４は横セグメントである。セグメント２７，２８の長さは、セグメント２１，２４の長さのほぼ半分である。セグメント２２，２４，２６，２９，３１，３３は縦セグメントである。セグメント２３，２５，３０，３２は斜めセグメントである。セグメント２３，３２は左肩上がりの傾きとなっている。セグメント２５，３０は右肩上がりの傾きとなっている。
【００１６】
図３（ａ）は表示列１２が”ＡＶＳＤ０ＷＧＸ”の８個のキャラクタから成る行を縦方向全体表示している状態を示している。なお、キャラクタは、縦スクロールの実施中及び非実施中に関係なく、１４セグメント表示器１１において縦方向全体表示されれば、当然に横方向全体表示される。各１４セグメント表示器１１のセグメントにおいて、ハッチング無しのセグメントは背景色であり、ハッチング付きのセグメントが背景色とは異なる色で表示されている。各キャラクタは、その画（かく）に対応するセグメントを非背景色にすることにより表示される。”ＡＶＳＤ０ＷＧＸ”は１つの行を構成し、”ＡＶＳＤ０ＷＧＸ”の各キャラクタは、左の１４セグメント表示器１１から順番に１つずつ表示されている。例えば、キャラクタ”Ａ”は、セグメント２１，２２，２６〜２９，３３の計７個のセグメントを非背景色にして表示される。
【００１７】
図３（ｂ）は表示列１２が”ＡＶＳＤ０ＷＧＸ”の８個のキャラクタから成る行に対しその縦方向の下半部を表示列１２の上半部に表示している状態を示している。なお、本明細書において、表示列１２及びキャラクタについて上半部及び下半部と言う場合は、表示列１２及びキャラクタの縦方向中心の部位は上半部及び下半部の両方に属するものとする。例えばセグメント２７，２８は１４セグメント表示器１１の上半部にも下半部にも属するものとする。また、また、キャラクタ”Ｈ”の横棒のように、縦方向中央の画はキャラクタの上半部にも下半部にも属するとする。
【００１８】
図３（ｂ）では、１４セグメント表示器１１のセグメント２１〜２８のみがキャラクタの表示に使用され、セグメント２９〜３４は、キャラクタの表示には使用されず、全部が背景色に維持される。原則として、図３（ｂ）の各１４セグメント表示器１１の上半部（該上半部には１４セグメント表示器１１の縦方向中心にあるセグメント２７，２８を含める。）としてのセグメント２１〜２８の表示パターンは、図３（ａ）の各１４セグメント表示器１１の下半部（該下半部には１４セグメント表示器１１の縦方向中心にあるセグメント２７，２８を含める。）のセグメント２７〜３４の表示パターンと同一となっている。
【００１９】
すなわち、１４セグメント表示器１１において、上半部のパターン表示及び下半部のパターン表示において、上半部のセグメント２１は下半部のセグメント２７，２８に対応し、上半部のセグメント２２，２４，２６は下半部のセグメント２９，３１，３３にそれぞれ対応し、上半部のセグメント２７，２８は下半部のセグメント３４に対応する。例えば、図３の左から１番目の１４セグメント表示器１１の”Ａ”及び４番目の１４セグメント表示器１１の”Ｄ”では、図３（ａ）における１４セグメント表示器１１の下半部における各セグメントの背景色及び非背景色は、図３（ｂ）における１４セグメント表示器１１の上半部における対応セグメントの背景色及び非背景色に移行している。
【００２０】
なお、斜めセグメント２３，２５，３０，３２について、１４セグメント表示器１１の上半部における斜めセグメント２３，２５の相対位置は、下半部における斜めセグメント３０，３２の相対位置と等しくなっており、上半部における斜めセグメント２３，２５は、位置的には下半部における斜めセグメント３０，３２とそれぞれ対応していると言える。しかし、それらは、方向が逆になっており（右肩上がりと左肩上がり）、パターン表示上は厳密には対応させることができない。これについては、半部表示パターンの例外として後で詳述する。
【００２１】
図３（ｃ）は表示列１２が”ＡＶＳＤ０ＷＧＸ”の８個のキャラクタから成る行に対しその縦方向の上半部を表示列１２の下半部に表示している状態を示している。図３（ｃ）では、１４セグメント表示器１１のセグメント２７〜３４のみがキャラクタの表示に使用され、セグメント２１〜２６は、キャラクタの表示には使用されず、全部が背景色に維持される。原則として、図３（ｃ）の各１４セグメント表示器１１の下半部（該下半部には１４セグメント表示器１１の縦方向中心にあるセグメント２７，２８を含める。）としてのセグメント２７〜３４の表示パターンは、図３（ａ）の各１４セグメント表示器１１の上半部（該上半部には１４セグメント表示器１１の縦方向中心にあるセグメント２７，２８を含める。）のセグメント２１〜２７の表示パターンと同一となっている。
【００２２】
例えば、図３の左から１番目の１４セグメント表示器１１の”Ａ”及び４番目の１４セグメント表示器１１の”Ｄ”では、図３（ａ）における１４セグメント表示器１１の上半部における各セグメントの背景色及び非背景色は、図３（ｃ）における１４セグメント表示器１１の下半部における対応セグメントの背景色及び非背景色に移行している。
【００２３】
キャラクタの全体表示のパターンの上又は下の半部がキャラクタの半部表示のパターンへそのまま移行させる原則に対する例外では、図３（ａ）において、キャラクタの斜めセグメント（セグメント２３，２５，３０，３２）に対応する画は、図３（ｂ）及び（ｃ）において使用しない。例えば、図３の左から２番目の１４セグメント表示器１１の”Ｖ”のセグメント２５，３０は、位置上、図３（ｃ）及び（ｂ）ではセグメント３２，２３にそれぞれ対応するものの、セグメント３２，２３は、セグメント２５，３０とは傾きが逆のセグメントであるので、不使用としての非背景色となっている。同様に、左から５，６，８番目のキャラクタ”０”、”Ｗ”，”Ｘ”について、図３（ａ）の斜めセグメントの非背景色が、位置関係で対応する図３（ｂ），（ｃ）の斜めセグメントにおいて背景色となっている。
【００２４】
例えば複数の楽曲名から成るリストでは、楽曲名が縦方向（＝上下方向）へ一列に並ぶ。これに対して、表示列１２は該リストの１行分しか表示できない。したがって、ユーザは、リストの各行の内容を知るために、表示装置１０を装備する電気機器の所定のキーを操作して、縦スクロールを実行する。
【００２５】
図３（ａ）は内容が例えば”ＡＶＳＤ０ＷＧＸ”となっている行を表示しているが、該行は、下向きスクロール（スクロールダウン）の期間、すなわち、表示列１２の表示行をリストの上の行から下の行へ順番に移していくスクロール期間では、該行は、表示列１２において下から上へ移動することになるので、表示列１２における表示は、図３（ｃ）→図３（ａ）→図３（ｂ）の順番に一定時間間隔で行われる。また、該行は、上向きスクロール（スクロールアップ）の期間、すなわち、表示列１２の表示行をリストの下の行から上の行へ順番に移していくスクロール期間では、該行は、表示列１２において上から下へ移動することになるので、表示列１２における表示は、図３（ｂ）→図３（ａ）→図３（ｃ）の順番に一定時間間隔で行われる。
【００２６】
縦スクロールは、等速度で行うので、図３（ａ），（ｂ），（ｃ）の各段階の表示時間は等しい。すなわち、各表示段階は一定時間ごとに切り替えられる。ユーザは、所望の行が表示された時は、表示装置１０を装備する電気機器の所定のキーを操作して、縦スクロールを停止する。
【００２７】
図３はキャラクタ列が”ＡＶＳＤ０ＷＧＸ”となっている行についてのスクロール期間の表示列１２のおける各表示段階を示しているが、次に、図４及び図５を参照して、縦方向へ隣接する２行が上向き縦スクロール及び下向き縦スクロールの場合に表示列１２にどのように表示されるかについて具体的に説明する。図４及び図５では、上から順番に”ＳＴＵＶＷＸＹＺ”，”ＡＢＣＤＥＦＧＨ”，”ＩＪＫＬＭＮＯＰ”が並ぶリスト範囲を想定している。また、表示列１２には、最初に、”ＡＢＣＤＥＦＧＨ”が表示されているとしている。
【００２８】
図４（ａ）の表示段階では、”ＡＢＣＤＥＦＧＨ”の縦方向全体が表示列１２に表示されている。次の図４（ｂ）の表示段階では、”ＡＢＣＤＥＦＧＨ”の下半部のみが表示列１２の上半部に表示され、表示列１２の下半部は空白になる。次の図４（ｃ）の表示段階では、”ＡＢＣＤＥＦＧＨ”の１つ下の行である”ＩＪＫＬＭＮＯＰ”に対し、その上半部のみが表示列１２の下半部に表示され、表示列１２の上半部は空白になる。次の図４（ｄ）の表示段階では、”ＩＪＫＬＭＮＯＰ”の縦方向全体が表示列１２に表示される。
【００２９】
図５（ａ）の表示段階では、”ＡＢＣＤＥＦＧＨ”の縦方向全体が表示列１２に表示されている。次の図５（ｂ）の表示段階では、”ＡＢＣＤＥＦＧＨ”の上半部のみが表示列１２の下半部に表示され、表示列１２の上半部は空白になる。次の図５（ｃ）の表示段階では、”ＡＢＣＤＥＦＧＨ”の１つ上の行である”ＳＴＵＶＷＸＹＺ”に対し、その下半部のみが表示列１２の上半部に表示され、表示列１２の下半部は空白になる。次の図５（ｄ）の表示段階では、”ＳＴＵＶＷＸＹＺ”の縦方向全体が表示列１２に表示される。
【００３０】
このように、該表示列１２では、各行のキャラクタの縦方向全体表示の間に、時間的に前の表示行の縦方向半部表示と、時間的に後の表示行の縦方向半部表示とがその順番に存在する。また、縦スクロールは通常、等速度で実施されるので、図４及び図５において、（ａ），（ｂ），（ｃ），（ｄ）の各表示時間及び表示間隔は等しいが、全体表示される（ａ）及び（ｄ）の表示時間を半部表示の（ｂ），（ｃ）より長くすることもできる。
【００３１】
図３についての前述の説明において、キャラクタの縦方向全体表示と縦方向半部表示との関係について、パターン一致の原則と縦方向半部表示における斜めセグメントの不使用とについて述べたが、パターン一致の原則に対するその他の例外について図６〜図１２を参照しつつ、説明する。
【００３２】
図６及び図７は、キャラクタの縦方向全体表示において該キャラクタの１画が斜めセグメント(右肩上がり又は左肩上がり)で表現されているものに対して、キャラクタの縦方向半部表示に同一方向の斜めセグメントを利用する例を示す。この規則を適用するキャラクタは例えば”；”，”＜”，”＞”，”Ｎ”，”Ｑ”，”Ｒ”，”Ｖ”である。なお、図３では、キャラクタ”Ｖ”の縦方向半部表示について、斜めセグメントは不使用である旨、述べているが、図６及び図７では、斜めセグメントを使用している。図３と図６及び図７とのどちらを採用するかは設計者の自由である。
【００３３】
図６左側では、キャラクタ”Ｖ”は、１４セグメント表示器１１のセグメント２２，２５，２９，３０を非背景色とすることにより縦方向全体表示されている。これに対し、下向きスクロールの次の段階では、図６右側のように、キャラクタ”Ｖ”の下半部が１４セグメント表示器１１の上半部に表示される。キャラクタ”Ｖ”の縦方向全体表示の場合のセグメント３０が１４セグメント表示器１１の上半部におけるキャラクタ”Ｖ”の下半部表示の場合のセグメント２３に位置的に対応することになるが、セグメント３０とセグメント２３とは傾きが反対であるので、セグメント３０に対して、傾きの等しいセグメント２５がセグメント２３の代わりに非背景色となる。
【００３４】
図７左側では、キャラクタ”Ｖ”は、１４セグメント表示器１１のセグメント２２，２５，２９，３０を非背景色とすることにより縦方向全体表示されている。これに対し、上向きスクロールの次の段階では、図７右側のように、キャラクタ”Ｖ”の上半部が１４セグメント表示器１１の下半部に表示される。キャラクタ”Ｖ”の縦方向全体表示の場合のセグメント２５が１４セグメント表示器１１の下半部におけるキャラクタ”Ｖ”の上半部表示の場合のセグメント３２に位置的に対応することになるが、セグメント２５とセグメント３２とは傾きが逆であるので、セグメント２５に対して、傾きの等しいセグメント３０がセグメント３２の代わりに非背景色となる。
【００３５】
図８は、縦横セグメントで囲われた中にある塗りつぶし要素のある斜めセグメントは斜めの方向に関係なく利用する例を示す。これは塗り潰し感を残すための措置である。この規則を適用するキャラクタは例えば”（”や”）”である。
【００３６】
図８左側では、キャラクタ”（”は、１４セグメント表示器１１のセグメント２１〜２４，２９〜３１，３４を非背景色とすることにより縦方向全体表示されている。これに対し、下向きスクロールの次の段階では、図８右側のように、キャラクタ”（”の下半部が１４セグメント表示器１１の上半部に表示される。キャラクタ”（”の縦方向全体表示の場合のセグメント３０が１４セグメント表示器１１の上半部におけるキャラクタ”（”の下半部表示の場合の１４セグメント表示器１１のセグメント２３に対応する。両者は、傾きが逆であるので、図６及び図７の規則に従えば、１４セグメント表示器１１の上半部におけるキャラクタ”（”の下半部表示の場合には、セグメント２５が非背景色になるはずである。しかし、キャラクタ”（”の縦方向全体表示の場合のセグメント３０の非背景色は塗り潰し感を狙ったものであるので、図８右側のように、対応位置のセグメント２３が非背景色にされる。
【００３７】
図９は、縦方向全体表示においてその上半部でＭ字（セグメント２２，２３，２５，２６を非背景色）、又は下半部でＷ字（セグメント２９，３０，３２，３３を非背景色）を表現しているものに対し、縦方向半部表示では、斜めセグメントを中心の横セグメント（セグメント２７又は２８）と中心の縦セグメント（セグメント２４又は３１）で表現する例を示す。この規則を適用するキャラクタは例えば”％”，”＆”，”Ｍ”，”Ｗ”である。
【００３８】
図９左側では、キャラクタ”Ｍ”は、１４セグメント表示器１１のセグメント２２，２３，２５，２６，２９，３３を非背景色とすることにより縦方向全体表示されている。これに対し、上向きスクロールの次の段階では、図９右側のように、キャラクタ”Ｍ”の上半部が１４セグメント表示器１１の下半部に表示される。キャラクタ”Ｍ”の縦方向全体表示の場合のセグメント２３，２５が１４セグメント表示器１１の下半部におけるキャラクタ”Ｍ”の上半部表示の場合のセグメント３０，３２に位置的に対応することになるが、セグメント２３，２５とセグメント３０，３２とは傾きが逆であるので、図９右側のように、セグメント２７，３１がセグメント３０の代わりに非背景色とされ、また、セグメント２８，３１がセグメント３２の代わりに非背景色とされる。セグメント２７，３１の非背景色は、ベクトル和的に左肩上がりの斜めセグメントの非背景色に擬似し、また、セグメント２８，３１の非背景色は、ベクトル和的に右肩上がりの斜めセグメントの非背景色に擬似したものとなる。
【００３９】
図１０は、縦方向全体表示における上半部でＶ字（セグメント２３，２５を非背景色）、又は下半部でＶ字の逆（セグメント３０，３２を非背景色）を表現しているものに対し、縦方向全体表示における斜めセグメントをキャラクタの縦方向半部表示では中心の横セグメント（セグメント２７，２８）と左右の縦セグメント（セグメント２２，２６，２９，３３）で表現する例を示す。この規則を適用するキャラクタは例えば”Ｘ”，”Ｙ”である。
【００４０】
図１０左側では、キャラクタ”Ｙ”は、１４セグメント表示器１１のセグメント２３，２５，３１を非背景色とすることにより縦方向全体表示されている。これに対し、上向きスクロールの次の段階では、図１０右側のように、キャラクタ”Ｙ”の上半部が１４セグメント表示器１１の下半部に表示される。キャラクタ”Ｙ”の縦方向全体表示におけるセグメント２３，２５は１４セグメント表示器１１の下半部におけるキャラクタ”Ｙ”の上半部表示ではそれぞれセグメント３０，３２に位置的に対応することになるが、両者の傾きが逆である。これに対処し、１４セグメント表示器１１の下半部におけるキャラクタ”Ｙ”の上半部表示では、セグメント２９，３３，３４が非背景色となる。すなわち、キャラクタ”Ｙ”の縦方向全体表示におけるセグメント２３は１４セグメント表示器１１の下半部におけるキャラクタ”Ｙ”の上半部表示ではセグメント２９とセグメント３４の左半部とに対応付けられ、キャラクタ”Ｙ”の縦方向全体表示におけるセグメント２５は１４セグメント表示器１１の下半部におけるキャラクタ”Ｙ”の上半部表示ではセグメント３３とセグメント３４の右半部とに対応付けられる。ベクトル和的に考えると、セグメント２９とセグメント３４の左半部との非背景色はベクトル和的にセグメント２３と同じく左肩上がりの斜めセグメントの非背景色に擬似し、セグメント３３とセグメント３４の右半部との非背景色はベクトル和的にセグメント２５と同じく右肩上がりの斜めセグメントの非背景色に擬似する。
【００４１】
図１１は、”Ｚ”，”Ｋ”，”Ｓ”のように縦方向全体表示において縦、横、斜めのセグメントの組み合わせで文字の特徴を表すが、１４セグメント表示器１１の上半部又は下半部におけるキャラクタの下半部表示又は上半部表示にすると、表現が困難な文字について、１４セグメント表示器１１の上半部又は下半部におけるキャラクタの下半部表示又は上半部表示では縦横セグメントのみで表現する例を示す。これは個別要素が強いことに対する措置である。
【００４２】
図１１左側では、キャラクタ”Ｋ”は、１４セグメント表示器１１のセグメント２２，２５，２７，２９，３２を非背景色とすることにより縦方向全体表示されている。これに対し、下向きスクロールの次の段階では、図１１右側のように、キャラクタ”Ｋ”の下半部が１４セグメント表示器１１の上半部に表示される。キャラクタ”Ｋ”の縦方向全体表示におけるセグメント２７，３２は１４セグメント表示器１１の上半部におけるキャラクタ”Ｋ”の縦方向下半部表示ではそれぞれセグメント２１の左半部とセグメント２５とに位置的に対応することになるが、セグメント２１はセグメント２７の倍の長さであり、また、セグメント２５はセグメント３２とは傾きが逆となっている。これに対処し、１４セグメント表示器１１の上半部におけるキャラクタ”Ｋ”の縦方向下半部表示では、セグメント２１，２６が非背景色となる。セグメント２１，２６の非背景色はベクトル和的にセグメント３２と同じ方向の左肩上がりのセグメントの非背景色に擬似する。
【００４３】
図１２は、縦方向全体表示において中心の半分長さの横セグメント（セグメント２７，２８）を利用し、かつ他に斜めセグメントが利用されていない場合に、キャラクタの縦方向半部表示では、中心の横セグメントの倍の長さの上又は下の横セグメント（セグメント２１，３４）を利用しても違和感がないため、該上又は下の横セグメントを非背景色にする例を示す。この規則を適用するキャラクタは例えば”Ｇ”である。
【００４４】
図１２左側では、キャラクタ”Ｇ”は、１４セグメント表示器１１のセグメント２１，２２，２８，２９，３３，３４を非背景色とすることにより縦方向全体表示されている。これに対し、上向きスクロールの次の段階では、図１２右側のように、キャラクタ”Ｇ”の上半部が１４セグメント表示器１１の下半部に表示される。キャラクタ”Ｇ”の縦方向全体表示におけセグメント２８は１４セグメント表示器１１の下半部におけるキャラクタ”Ｇ”の上半部表示ではセグメント３４の右半部に対応することになるが、セグメント３４の右半部だけを非背景色とする訳にはいかない。セグメント３４を非背景色にしても違和感は少ないと判断され、セグメント３４を非背景色にしている。
【００４５】
図１３はアルファベットの各キャラクタを１４セグメント表示器１１に縦方向全体表示した場合の各表示態様を示している。
【００４６】
図１４の表示装置５０のブロック図において、表示装置５０の一例は表示装置１０（図１）である。表示装置５０は、複数の１４セグメント表示器５１が横方向へ一列に並んだ表示列５２を備え、行内の各キャラクタを表示列５２内の対応１４セグメント表示器５１に表示する。表示装置５０は、例えば携帯型や据置型のオーディオ装置やその他の電気機器に装備される。表示装置５０は指示検出手段５５及び表示制御手段５６を備える。
【００４７】
指示検出手段５５は縦スクロールの指示を検出する。表示制御手段５６は、縦スクロールの指示に伴い、縦方向に並ぶ行のスクロール表示を表示列５２において開始するとともに、該スクロール表示には、表示列５２におけるスクロール行のキャラクタの縦方向全体表示と共に縦方向部分表示を含める。
【００４８】
縦スクロールには上向きと下向きとの２通りがある。縦スクロールの指示は、ユーザが直接行う場合のほか、表示装置５０自身が判断して行う場合があるとする。縦方向部分表示は、典型的には、縦方向の上又は下のほぼ半部の表示である。
【００４９】
こうして、表示列５２の１４セグメント表示器５１に、表示列５２におけるスクロール行のキャラクタの縦方向全体表示の他に、縦方向部分表示を含めることにより、ユーザには、縦スクロールが実施されていることが分かり易くなる。
【００５０】
典型的には、キャラクタの縦方向部分表示は、該キャラクタの縦方向全体表示より時間的に前及び／又は後に実施し、キャラクタの縦方向部分表示における縦方向部分とは、該キャラクタの縦方向全体表示より時間的に前の縦方向部分表示では、各キャラクタについて縦スクロール方向のほぼ上流側半部であり、該キャラクタの縦方向全体表示より時間的に後の縦方向部分表示では、各キャラクタについて縦スクロール方向のほぼ下流側半部である。
【００５１】
「時間的に前及び／又は後」とは、キャラクタの縦方向部分表示は、（ａ）該キャラクタの縦方向全体表示より時間的に前のみ、（ｂ）後ろのみ、又は（ｃ）前及び後ろの両方に実施することを意味する。（ａ）の場合には、各キャラクタについて縦スクロール方向のほぼ下流側半部の表示は省略され、（ｂ）の場合には、各キャラクタについて縦スクロール方向のほぼ上流側半部の表示は省略される。
【００５２】
各キャラクタについて縦スクロール方向のほぼ上流側半部とは、上向き縦スクロールではキャラクタのほぼ下半部であり（例：図３（ｃ））、下向き縦スクロールではキャラクタのほぼ上半部である（例：図３（ｂ））。各キャラクタについて縦スクロール方向のほぼ下流側半部とは、上向き縦スクロールではキャラクタのほぼ上半部であり（例：図３（ｂ））、下向き縦スクロールではキャラクタのほぼ下半部である（例：図３（ｃ））。
【００５３】
典型的には、キャラクタの縦方向全体表示より時間的に前の該キャラクタについての縦スクロール方向のほぼ上流側半部は縦スクロール方向へ表示列５２の上流側半部に表示され、キャラクタの縦方向全体表示より時間的に後の該キャラクタについて縦スクロール方向のほぼ下流側半部は縦スクロール方向へ表示列５２の下流側半部に表示される（例：図４及び図５）。
【００５４】
好ましくは、表示制御手段５６は、縦スクロール中は、縦スクロール方向へ前後に隣接する第１及び第２の行に対して、縦スクロール方向へ１４セグメント表示器５１の全体に第１の行のキャラクタの全体（例：下向き縦スクロールの場合の図４（ａ）。上向き縦スクロールの場合の図５（ａ））、縦スクロール方向へ１４セグメント表示器５１のほぼ下流側半部に第１の行のキャラクタのほぼ下流側半部（例：下向き縦スクロールの場合の図４（ｂ）。上向き縦スクロールの場合の図５（ｂ））、縦スクロール方向へ１４セグメント表示器５１のほぼ上流側半部に第２の行のキャラクタのほぼ上流側半部（例：下向き縦スクロールの場合の図４（ｃ）。上向き縦スクロールの場合の図５（ｃ））、及び縦スクロール方向へ１４セグメント表示器５１の全体に第２の行のキャラクタの全体（例：下向き縦スクロールの場合の図４（ｄ）。上向き縦スクロールの場合の図５（ｄ））を順次、表示する。
【００５５】
典型的には、表示制御手段５６は、１４セグメント表示器５１におけるキャラクタの部分表示では、１４セグメント表示器５１の斜めセグメントを不使用とする（例：図３（ｂ）及び（ｃ）の左から２番の１４セグメント表示器１１の”Ｖ”）。
【００５６】
典型的には、表示制御手段５６は、１４セグメント表示器５１におけるキャラクタの全体表示において斜めセグメントに対応する画は、１４セグメント表示器５１における該キャラクタの部分表示では、該斜めセグメントと傾きが同一である別の斜めセグメント（例：図６及び図７）、該斜めセグメントと左右方向同一側にあって傾きが反対である別の斜めセグメント（例：図８）、左右方向へ該斜めセグメントと同一側にあって縦方向中央の横セグメント（例：図９）、又は左右方向へ該斜めセグメントと同一側にある端の縦セグメントと縦方向へ端の横セグメント（例：図１０及び図１１）に割り当てる。
【００５７】
典型的には、表示制御手段５６は、１４セグメント表示器５１におけるキャラクタの全体表示において縦方向中央の左右の横セグメントに対応する画は、１４セグメント表示器５１における該キャラクタの部分表示では、縦方向へ端の横セグメント（例：図１２）に割り当てる。
【００５８】
図１５の表示装置制御方法６０は、表示装置５０に適用される。Ｓ６１では、縦スクロールの指示を検出する。Ｓ６２では、縦スクロールの指示に伴い、縦方向に並ぶ行のスクロール表示を表示列５２において開始するとともに、該スクロール表示には、表示列５２におけるスクロール行のキャラクタの縦方向全体表示と共に縦方向部分表示を含める。
【００５９】
Ｓ６１，Ｓ６２の処理は、表示装置５０（図５）の指示検出手段５５及び表示制御手段５６の機能にそれぞれ対応している。したがって、指示検出手段５５及び表示制御手段５６の機能について述べた具体的態様はＳ６１，Ｓ６２の処理についての具体的態様としても適用可能である。
【００６０】
本発明を適用したプログラムは、コンピュータを表示装置５０の各手段として機能させる。本発明を適用した別のプログラムは、表示装置制御方法６０の各ステップをコンピュータに実行させる。
【００６１】
本明細書は様々な範囲及びレベルの発明を開示している。それら発明は、本明細書で説明した様々な技術的範囲及び具体的レベルの各装置及び各方法だけでなく、拡張ないし一般化の範囲で、各装置及び各方法から独立の作用、効果を奏する１つ又は複数の要素を抽出したものや、１つ又は複数の要素を拡張ないし一般化の範囲で変更したものや、さらに、各装置間及び各方法間で１つ又は複数の要素の組合せを入れ換えたものを含む。
【符号の説明】
【００６２】
５０：表示装置、５１：１４セグメント表示器、５２：表示列、５５：指示検出手段、５６：表示制御手段、６０：表示装置制御方法。
【図１】
2010181719.tif 000003
【図２】
2010181719.tif 000004
【図３】
2010181719.tif 000005
【図４】
2010181719.tif 000006
【図５】
2010181719.tif 000007
【図６】
2010181719.tif 000008
【図７】
2010181719.tif 000009
【図８】
2010181719.tif 000010
【図９】
2010181719.tif 000011
【図１０】
2010181719.tif 000012
【図１１】
2010181719.tif 000013
【図１２】
2010181719.tif 000014
【図１３】
2010181719.tif 000015
【図１４】
2010181719.tif 000016
【図１５】
2010181719.tif 000017